(57)【要約】【課題】ジャム処理時の操作性の向上を図り得る画像形成装置の両面装置を提供する。【解決手段】反転トレイ６０ａの操作者側に配置された反転ローラ６３が奥側の支点６１ａを中心として上方へ回動動作を行い得るよう構成する。【選択図】　　　　図２
2004070078.tif 000002
【特許請求の範囲】
【請求項１】
装置本体下方側にあり転写紙を用紙積載部より手前側の操作者側に搬送する給紙部と、前記転写紙を略垂直方向から奥側にある印字部へ案内する搬送経路と、装置の上方側にあり、前記印字済み転写紙を定着させる定着部と、定着部の奥側にあり転写紙を装置外へ排出するか、第２面を印字するため装置奥側にある再給紙部へ搬送するかを切り替える手段をもつ排紙部と、装置の奥側を上方から下方へ向け転写紙を搬送する搬送部と、装置の下方に有り転写紙を反転後装置内に再給紙する反転部とを有し、該反転部が、反転ユニットと反転トレイとに分かれ、該反転トレイは用紙搬送方向である手前側の操作者側に引き出し可能であり、用紙は反転トレイの上部を装置奥側から手前側に搬送され、その途中で反転し一旦反転トレイ下部に停止し、再度手前側から上方の装置内に搬送される画像形成装置の両面装置において、
反転トレイの操作者側に配置された反転ローラが奥側の支点を中心として上方へ回動動作を行い得るよう構成したことを特徴とする画像形成装置の両面装置。
【請求項２】
前記反転ローラの支点と、上部搬送経路を形成しジャム処理用に回動するガイド板の支点とを同一としたことを特徴とする請求項１記載の画像形成装置の両面装置。
【発明の詳細な説明】
【０００１】
【発明の属する技術分野】
本発明は、ＰＰＣ、ＬＢＰ等の電子写真装置の両面装置に関するもので、その他の画像形成装置にも応用できる技術に関するものである。
【０００２】
【従来の技術】
従来、小型及び中型のプリンタでは、搬送経路長を短くし、ジャム処理等の操作性の向上を図るために、前面操作で下部に給紙部を、上部に定着・排紙部を配置した略垂直搬送経路を採用する装置が多い。
【０００３】
又、近年、両面印刷の要求も高まってきており、前記前面操作／略垂直搬送経路を採用した画像形成装置における両面装置を装着した従来例としては、例えば、特開平６−１１０２７４号公報に示されているようなものが存在する。これは、両面装置を装置の上部から前面にかけて装着し、排紙部の手前に搬送切替機構を設け、両面再給紙される転写紙は、通常の排紙部の上部に搬送され、そこでスイッチバックし、装置の前面を経由して再給紙されるようになっている。尚、スイッチバックの際、転写紙は機外に一部出ることになる。
【０００４】
【発明が解決しようとする課題】
前記前面操作／略垂直搬送経路を採用した装置では、ジャム処理やサプライ交換時、前面を開放してその操作を行う構成となっていることが多く、操作パネル等も当然前面に設けられているが、その際に前面に両面装置を取り付けてしまうと、開放時の邪魔になったり、上記操作に支障をきたす可能性がある。
【０００５】
又、スイッチバック時に転写紙の一部が機外に出た際には、特に排紙部に近接しているため、操作者が誤ってつかんでジャムを引き起こしたり、排紙部にスタックされた用紙に引っ掛かったり、押し出したりする不具合が懸念されていた。
【０００６】
本発明は、斯かる実情に鑑み、ジャム処理時の操作性の向上を図り得る画像形成装置の両面装置を提供しようとするものである。
【０００７】
【課題を解決するための手段】
上記課題を解決するために、請求項１記載の発明では、装置本体下方側にあり転写紙を用紙積載部より手前側の操作者側に搬送する給紙部と、前記転写紙を略垂直方向から奥側にある印字部へ案内する搬送経路と、装置の上方側にあり、前記印字済み転写紙を定着させる定着部と、定着部の奥側にあり転写紙を装置外へ排出するか、第２面を印字するため装置奥側にある再給紙部へ搬送するかを切り替える手段をもつ排紙部と、装置の奥側を上方から下方へ向け転写紙を搬送する搬送部と、装置の下方に有り転写紙を反転後装置内に再給紙する反転部とを有し、該反転部が、反転ユニットと反転トレイとに分かれ、該反転トレイは用紙搬送方向である手前側の操作者側に引き出し可能であり、用紙は反転トレイの上部を装置奥側から手前側に搬送され、その途中で反転し一旦反転トレイ下部に停止し、再度手前側から上方の装置内に搬送される画像形成装置の両面装置において、反転トレイの操作者側に配置された反転ローラが奥側の支点を中心として上方へ回動動作を行い得るよう構成した画像形成装置の両面装置を最も主要な特徴とする。
【０００８】
請求項２記載の発明では、前記反転ローラの支点と、上部搬送経路を形成しジャム処理用に回動するガイド板の支点とを同一とした請求項１記載の画像形成装置の両面装置を主要な特徴とする。
【０００９】
【発明の実施の形態】
以下、本発明の実施の形態を図示例と共に説明する。本発明の両面装置を有するカラー画像形成装置の概要を図１に示す。
【００１０】
図１において、１はベルト状の潜像担持体たる可撓性の感光体ベルトであり、該感光体ベルト１は、回動ローラ２，３間に架設され、回動ローラ２の回転駆動により図中矢印Ａ方向（時計方向）に搬送される。図中４は、前記感光体ベルト１表面を均一に帯電する帯電手段たる帯電チャージャ、図中５は、静電像露光手段たるレーザ光学装置である。又、図中６は、後述するイエロー、マゼンタ、シアン、黒の現像剤（トナー）を有する４つの現像器を一体的に形成した回転型現像装置である。
【００１１】
更に、図中１０は、中間転写体たる中間転写ベルトであり、該中間転写ベルト１０は回動ローラ１１，１２の間に架設され、回動ローラ１１の回転駆動により図中矢印Ｂ方向（反時計方向）に搬送される。前記感光体ベルト１と、中間転写ベルト１０は、感光体ベルト１の回動ローラ３部で接触している。該接触部の中間転写ベルト１０側には、導電性を有するバイアスローラ１３が中間転写ベルト１０裏面に所定の条件で接触している。
【００１２】
ここで、前記カラー画像形成装置の画像形成動作について説明する。図１において、感光体ベルト１は帯電チャージャ４により一様に帯電された後、レーザ光学装置５により、画像情報に基づき走査露光されて表面に静電潜像が形成される。ここで、露光する画像情報は所望のフルカラー画像をイエロー、シアン、マゼンタ、及び黒の色情報に分解した単色の画像情報であり、この情報により半導体レーザ（図示せず）で発生されたレーザビームＬは、レーザ光学装置５により走査、及び光路調整されたものである。
【００１３】
ここで形成された静電潜像は、回転型現像装置６により各々所定のイエロー、シアン、マゼンタ、及び黒トナーで各々単色現像され、感光体ベルト１上に各々の色画像が順次形成される。
【００１４】
図中矢印Ａ方向に回転する感光体ベルト１上に形成された各単色画像は、感光体ベルト１と同期して図中矢印Ｂ方向に回転する中間転写ベルト１０上に、イエロー、シアン、マゼンタ、及び黒の単色毎に、バイアスローラ１３に印加された所定の転写バイアスにより順次重ね転写される。中間転写ベルト１０上に重ね合わされたイエロー、シアン、マゼンタ、及び黒の画像は、給紙カセット１７から給紙ローラ１８、搬送ローラ対１９ａ，１９ｂ、レジストローラ対２０ａ，２０ｂを経て転写部へ搬送された転写紙１７ａ上に転写ローラ１４により一括転写される。転写終了後、転写紙１７ａは定着装置８０により定着されて、フルカラー画像が完成し、装置外へ排出されるか、或いは後述する両面装置に送られ第２面の作像・転写・定着工程が第１面と同じように実施される。
【００１５】
図１のように両面装置は、定着装置８０奥側に設けられた排紙部４０、装置奥側にある搬送部５０、装置下方にあり転写紙１７ａをスイッチバック装置内へ再給紙する反転部６０の３ユニットにより構成されている。
【００１６】
定着装置８０からでた転写紙１７ａは、切り替えレバー４１により搬送経路を切り替えられる。装置外に排出されるべき転写紙１７ａは、排紙ローラ対４２により排出され、排紙スタック部４３にスタックされることになる。
【００１７】
第２面を印字する転写紙１７ａは、切り替えレバー４１により排紙スタック部４３の下を通り、搬送ローラ対４４、ガイド板４５を通過して搬送部５０へ搬送される。搬送部５０では、搬送ローラ対５２、ガイド板５１により転写紙１７ａを下方の反転部６０に案内する。
【００１８】
反転部６０は、反転トレイ６０ａと反転ユニット６０ｂとからなり、反転トレイ６０ａは、用紙搬送方向に引き出し可能である。反転部６０に進入した転写紙１７ａは、反転トレイ６０ａの上部に位置するガイド板６１、搬送ローラ対６２により奥側から手前側（操作者側）に搬送され、搬送ガイド板６５、反転ローラ６３により向きを変えられ、反転トレイ６０ａの下部に搬送され一旦停止する。そこで、ジョガーフェンス６６により用紙揃え動作が行われ、その後、今まで後端であった方を今度は先端とし、反転ローラ６３の逆転により搬送ローラ対１９ａ，１９ｂ方向に搬送し、給紙カセット１７の手前側に設けられた搬送路１７ｂ、搬送ローラ対１９ａ，１９ｂ、レジストローラ対２０ａ，２０ｂへ案内され、以降は第１面と同様な工程を経て排出される。又、反転トレイ６０ａの両端にはレール部６７が樹脂一体で設けられている。
【００１９】
前記反転トレイ６０ａの上部に設けられた搬送経路たるガイド板６１は、図２に示す如く、用紙搬送方向の上流側に設けられた支点６１ａを回転中心とし回動可能な構成であり、その構成で手前側と奥側の２箇所に配置されている。その間に設けられたガイド板６８の下側には用紙有無検知手段たるフィラー付センサ６９が配置されている。
【００２０】
ガイド板６１には２個の従動搬送ローラ６２ｂが、それを支持する軸受６２ｃ、及び下方向に付勢するスプリング６２ｄにより駆動搬送ローラ６２ａに加圧されている。但しこれだけではガイド板６１はフリーであるためスプリング６２ｄの力はガイド板６１と従動搬送ローラ６２ｂとの間に働くだけで、搬送ローラ対６２の加圧力としては、ガイド板６１の自重のみである。そこで、ガイド板６１を規制しスプリング６２ｄの力を搬送ローラ対６２の加圧力としてかけるために、ガイド板６１の中央部に付勢部材７１を設ける。付勢部材７１は弾性を有するブラケット７１ａと自由に回転するコロ７１ｂからなる。この付勢部材７１が反転ユニット６０ｂの上部レール７２に押し付けられることでガイド板６１を規制する。
【００２１】
手前側の反転ローラ６３は、図２に示す如く、上部搬送経路を構成しているガイド板６１のうち下側のガイド板６１ｃと一体で設けられたブラケット７３に取付けられている。上側のガイド板６１ｂに設けられたガイドピン７４は、前記ブラケット７３に設けられた長穴７３ａに挿入されている。長穴７３ａの形状は、ガイド板６１の支点６１ａをやはり中心とする円弧形状であり、反転トレイ６０ａがセットされた状態でガイドピン７４に対し図２（ａ）のように１０°〜３０°の角度を持つように設定されている。
【００２２】
ジャム処理の際、操作者が反転トレイ６０ａを引き出し、上側のガイド板６１ｂを開放することで、図２（ｂ）のように上側のガイド板６１ｂと下側のガイド板６１ｃは１０°〜３０°の角度を持ち、且つ、反転ローラ６３は反転トレイ６０ａから上部に開放される。これにより、操作者はジャム残紙Ｐ１、及びジャム残紙Ｐ２を一度に見つけることができ、そして一度に取り出し可能となる。
【００２３】
尚、本発明の画像形成装置の両面装置は、上述の図示例にのみ限定されるものではなく、本発明の要旨を逸脱しない範囲内において種々変更を加え得ることは勿論である。
【００２４】
【発明の効果】
以上、説明したように本発明の請求項１記載の画像形成装置の両面装置によれば、反転トレイの操作者側に配置された反転ローラが奥側を支点として上方へ回動動作を行い得るよう構成したことにより、反転トレイ下部にあるジャム残紙の取り出し性の向上を図ることができるという優れた効果を奏し得る。
【００２５】
又、本発明の請求項２記載の画像形成装置の両面装置によれば、前記反転ローラの支点と、上部搬送経路を形成しジャム処理用に回動するガイド板の支点とを同一としたことにより、反転トレイ内のジャム残紙取り出し動作を一連のものとすることができ、操作性向上を図ることができるという優れた効果を奏し得る。
【図面の簡単な説明】
【図１】本発明を実施する形態の一例の全体概要構成図である。
【図２】本発明を実施する形態の一例の要部詳細作動図であって、（ａ）は反転トレイをセットした状態を表わす図、（ｂ）は反転トレイを引き出した状態を表わす図である。
【符号の説明】
１　感光体ベルト
２　回動ローラ
３　回動ローラ
４　帯電チャージャ
５　レーザ光学装置
６　回転型現像装置
１０　中間転写ベルト
１１　回動ローラ
１２　回動ローラ
１３　バイアスローラ
１４　転写ローラ
１７　給紙カセット
１７ａ　転写紙
１７ｂ　搬送路
１８　給紙ローラ
１９ａ，１９ｂ　搬送ローラ対
２０ａ，２０ｂ　レジストローラ対
４０　排紙部
４１　切り替えレバー
４２　排紙ローラ対
４３　排紙スタック部
４４　搬送ローラ対
４５　ガイド板
５０　搬送部
５１　ガイド板
５２　搬送ローラ対
６０　反転部
６０ａ　反転トレイ
６０ｂ　反転ユニット
６１　ガイド板
６１ａ　支点
６１ｂ　ガイド板
６１ｃ　ガイド板
６２　搬送ローラ対
６２ａ　駆動搬送ローラ
６２ｂ　従動搬送ローラ
６２ｃ　軸受
６２ｄ　スプリング
６３　反転ローラ
６５　搬送ガイド板
６６　ジョガーフェンス
６７　レール部
６８　ガイド板
６９　フィラー付センサ
７１　付勢部材
７１ａ　ブラケット
７１ｂ　コロ
７２　上部レール
７３　ブラケット
７３ａ　長穴
７４　ガイドピン
８０　定着装置
Ｌ　レーザビーム
Ｐ１　ジャム残紙
Ｐ２　ジャム残紙
【図１】
2004070078.tif 000003
【図２】
2004070078.tif 000004